(57)【要約】【課題】筐体内の温度上昇を抑制するために給気孔や排気孔などの通気孔を筐体に設けると、筐体の剛性が低くなったり、外観上の見栄えが低下したりするという課題がある。【解決手段】用紙Ｐが搬送される搬送経路１８と、用紙Ｐの搬送方向Ｄ３と交わる移動方向Ｄ２に往復移動しながら用紙Ｐに文字や画像を形成する記録ヘッド２７と、搬送経路１８側が開口し、記録ヘッド２７が往復移動する移動領域４０を含み、移動方向Ｄ２における一方の側に開口部６０を有し、記録ヘッド２７を収容する第１の収容室２０と、搬送経路１８側が開口し、開口部６０を介して第１の収容室２０と連通し、電子基板５１を収容する第２の収容室２２と、を備え、電子基板５１は、面方向が搬送方向Ｄ３で搬送経路１８に対して鉛直方向Ｄ１に立設し、第１の収容室２０側の壁部である仕切り板３０との間を離して第２の収容室２２に備えられる画像形成装置を提供する。【選択図】図４
2013010235.tif 000002
【特許請求の範囲】
【請求項１】
記録媒体が搬送される搬送経路と、
前記記録媒体の搬送方向と交わる移動方向に往復移動しながら前記記録媒体に文字や画像を形成する記録ヘッドと、
前記搬送経路側が開口し、前記記録ヘッドが往復移動する移動領域を含み、前記移動方向における一方の側に開口部を有し、前記記録ヘッドを収容する第１の収容室と、
前記搬送経路側が開口し前記開口部を介して前記第１の収容室と連通するとともに、面方向が前記搬送方向に対向して前記搬送経路に対して立設し前記第１の収容室側の壁部との間を離して設置される電子基板を収容する第２の収容室と、を備えることを特徴とする画像形成装置。
【請求項２】
請求項１に記載の画像形成装置であって、
前記開口部は、前記移動方向から見た位置が前記記録ヘッドと一部重なるように設けられることを特徴とする画像形成装置。
【請求項３】
請求項１または請求項２に記載の画像形成装置であって、
前記第１の収容室と前記第２の収容室とを仕切る壁部は、板状部材によって構成されることを特徴とする画像形成装置。
【請求項４】
請求項１から請求項３のいずれか一項に記載の画像形成装置であって、
前記第１の収容室と前記第２の収容室とを仕切る壁部は、吸着材であることを特徴とする画像形成装置。
【発明の詳細な説明】
【技術分野】
【０００１】
本発明は、画像形成装置に関する。
【背景技術】
【０００２】
画像形成装置としての一例であるインクジェットプリンターの筐体内には、インクジェットプリンターの動作を制御するための電子基板が備えられている。電子基板には、トランジスターやＩＣなどの電子部品が備えられており、電子部品から発生する熱を放熱させるようにしている画像形成装置がある。
例えば、特許文献１では、縦配置した電子基板の下部と上部に対応する筐体の位置に給気孔と排気孔を設け、電子基板から発生する熱を放熱させ、筐体内の温度上昇を抑制する画像形成装置が開示されている。
【先行技術文献】
【特許文献】
【０００３】
【特許文献１】特開２０１０−１７９３５号公報
【発明の概要】
【発明が解決しようとする課題】
【０００４】
しかしながら、特許文献１のように、筐体内の温度上昇を抑制するために給気孔や排気孔などの通気孔を筐体に設けると、筐体の剛性が低くなったり、外観上の見栄えが低下したりするという課題がある。また、筐体内に備えられたモーターなどの音が筐体の外部に洩れたり、筐体内のインクミストが通気孔から筐体の外部に流出するという課題がある。
【課題を解決するための手段】
【０００５】
本発明は、上述の課題の少なくとも一部を解決するためになされたものであり、以下の形態または適用例として実現することが可能である。
【０００６】
［適用例１］記録媒体が搬送される搬送経路と、前記記録媒体の搬送方向と交わる移動方向に往復移動しながら前記記録媒体に文字や画像を形成する記録ヘッドと、前記搬送経路側が開口し、前記記録ヘッドが往復移動する移動領域を含み、前記移動方向における一方の側に開口部を有し、前記記録ヘッドを収容する第１の収容室と、前記搬送経路側が開口し前記開口部を介して前記第１の収容室と連通するとともに、面方向が前記搬送方向に対向して前記搬送経路に対して立設し、前記第１の収容室側の壁部との間を離して設置される電子基板を収容する第２の収容室と、を備えることを特徴とする画像形成装置。
【０００７】
本適用例によれば、搬送経路側が開口し、記録ヘッドが往復移動する移動領域を含み、移動方向における一方の側に開口部を有し、記録ヘッドを収容する第１の収容室と、開口部を介して第１の収容室と連通し、電子基板を収容する第２の収容室と、を備える。これにより、記録ヘッドの往復移動に伴って、第１の収容室を介して搬送経路と第２の収容室との間を流れる気流が生じたり、第１の収容室を介することなく直接に搬送経路と第２の収容室との間を流れる気流が生じる。そして、電子基板は、面方向が搬送方向で搬送経路に対して立設し、第１の収容室側の壁部との間を離して第２の収容室に備えられる。これにより、第２の収容室において、電子基板と第１の収容室側の壁部との間を気流が流れるので、電子基板の温度上昇を抑制できる。
【０００８】
従って、筐体に通気孔を設けなくてもよいので、筐体における剛性の低下や、外観上の見栄えの低下を抑制できる。また、筐体内に備えられたモーターなどの音が通気孔から筐体の外部に洩れることを抑制できる。また、インクジェット式の画像形成装置においては、筐体内のインクミストが通気孔から筐体の外部に流出することを抑制できる。
【０００９】
［適用例２］前記開口部は、前記移動方向から見た位置が前記記録ヘッドと一部重なるように設けられることを特徴とする上記画像形成装置。
【００１０】
本適用例によれば、記録ヘッドの移動によって、第１の収容室内を流れる気流と、第２の収容室内を流れる気流を生じさせることができる。これにより、第１の収容室内の温度上昇を抑制するとともに、第２の収容室内の温度上昇を抑制することができる。
【００１１】
［適用例３］前記第１の収容室と前記第２の収容室とを仕切る壁部は、板状部材によって構成されることを特徴とする上記画像形成装置。
【００１２】
本適用例によれば、第１の収容室と第２の収容室とを仕切るための壁部を筐体と一体に形成しなくてもよいので製造コストの上昇を抑制できる。
【００１３】
［適用例４］前記第１の収容室と前記第２の収容室とを仕切る壁部は、吸着材であることを特徴とする上記画像形成装置。
【００１４】
本適用例によれば、第１の収容室や第２の収容室を浮遊するミストを吸着することができる。
【図面の簡単な説明】
【００１５】
【図１】インクジェットプリンターの外観斜視図。
【図２】画像形成部を収容する筐体の内部構成を説明する斜視図。
【図３】第１の収容室、第２の収容室の配置を模式的に示す平面図。
【図４】（ａ）は、第１の収容室、第２の収容室の配置を模式的に示す断面図、（ｂ）は、記録ヘッドと仕切り板と開口部を移動方向から見た模式図。
【図５】第１の収容室、第２の収容室の配置を模式的に示す断面図。
【図６】基板ユニットの斜視図。
【図７】基板ユニットの構成部品を示す斜視図。
【発明を実施するための形態】
【００１６】
以下、本発明の実施形態について、図面を参照して説明する。
【００１７】
図１は、本実施形態の画像形成装置の一例であるインクジェットプリンター１（以降は、プリンターという）を、正面側から見た外観斜視図である。プリンター１には、筐体３に収容された画像形成部１７と、画像形成部１７の鉛直方向Ｄ１における上側に配置され、筐体２に収容されたスキャナー部１６とが備えられる。
【００１８】
プリンター１の正面側には、電源のオン・オフ操作や、印刷条件の設定操作などを行うための操作パネルユニット４が備えられる。また、操作パネルユニット４には、印刷条件の設定内容や操作内容を表示するため、液晶パネルなどによって構成された表示部１０が備えられる。
【００１９】
スキャナー部１６には、載置台７に載置された原稿（不図示）をスキャナー部１６に給紙する用紙搬送装置８が備えられる。スキャナー部１６には、透明な原稿台（不図示）やイメージセンサーなどを搭載した読取部（不図示）などが備えられ、スキャナー部１６は、読取部によって、原稿台上に給紙された原稿に描かれた画像を読取り、画像データを取得する。その後、用紙搬送装置８は、原稿をスタッカー９に送って排出する。
【００２０】
プリンター１の正面側には、使用者によって引き出し可能な用紙カセット５が備えられ、用紙カセット５には、記録媒体としての用紙（不図示）が収納される。また、プリンター１の背面側には、用紙（不図示）を載置する用紙サポート６を含んで構成される給紙装置が備えられ、用紙サポート６に載置された用紙は、給紙装置によって画像形成部１７に給紙される。
【００２１】
プリンター１は、用紙カセット５に収納された用紙または用紙サポート６に載置された用紙を画像形成部１７内部に給紙し、搬送経路１８上を搬送する用紙に画像を形成し、筐体３に設けられた排紙用開口部１２から排紙する。排紙された用紙は、トレイ１３およびトレイ１３から使用者によって引き出されたスタッカー１４に載置される。
【００２２】
使用者は、取手部１５を持って、正面カバー１１を矢印の方向に回動させ、インクが収容されたインクカートリッジ（不図示）を交換したり、紙ジャムなどによって搬送経路１８に残った用紙を取り出したりすることができる。
【００２３】
図２は、画像形成部１７を収容する筐体３の内部構成を説明する斜視図である。図２は、図１のプリンター１からスキャナー部１６を取り除き、さらに筐体３の上部壁部を取り除いた状態の図である。筐体３の内部には、ガイド軸２８に沿って移動方向Ｄ２に往復移動する記録ヘッド２７が備えられる。
【００２４】
記録ヘッド２７の鉛直方向Ｄ１における下側の筐体３の下部に、搬送経路１８が備えられる。搬送経路１８には、用紙サポート６に載置された用紙や図１の用紙カセット５に収納された用紙を筐体３内部に給紙するための給紙ローラー（不図示）、用紙を搬送方向Ｄ３に搬送するための搬送ローラー（不図示）などが備えられ、搬送経路１８は、搬送方向Ｄ３に搬送される用紙を支持する。
【００２５】
筐体３の搬送方向Ｄ３における上流側には給紙用開口部２３が設けられ、給紙装置によって、用紙サポート６に載置された用紙が給紙用開口部２３を通り、搬送経路１８に給紙される。
【００２６】
筐体３の内部には、移動方向Ｄ２に延設する仕切り板２４、移動方向Ｄ２と交わる搬送方向Ｄ３に延設する、仕切り板３０、仕切り板２５が備えられる。仕切り板２４、仕切り板３０、仕切り板２５は、搬送経路１８に対して鉛直方向Ｄ１に立設する。
【００２７】
第１の収容室２０は、搬送方向Ｄ３下流側を正面カバー１１、搬送方向Ｄ３上流側を仕切り板２４、移動方向Ｄ２図面右側を仕切り板３０、移動方向Ｄ２図面左側を仕切り板２５、鉛直方向Ｄ１上側を筐体３の上部壁部（不図示）によって区画される。
【００２８】
第２の収容室２２は、外側を筐体３と正面カバー１１とによって区画され、内側を仕切り板２４，２５，３０によって区画される。
【００２９】
第２の収容室２２における第１の収容室２０の移動方向Ｄ２図面右側には、電子基板５１を備えた基板ユニット５０が収容される。電子基板５１は、面方向が搬送方向Ｄ３で搬送経路１８に対して鉛直方向Ｄ１に立設し、仕切り板３０との間を離して第２の収容室２２に備えられる。
【００３０】
また、第２の収容室２２における第１の収容室２０の移動方向Ｄ２図面左側には、インクカートリッジ（不図示）が収容されるインクカートリッジ収納領域２６が設けられる。
【００３１】
図３は、画像形成部１７を鉛直方向Ｄ１における上側から見た図で、第１の収容室２０、第２の収容室２２の配置を模式的に示す平面図である。第１の収容室２０は、記録ヘッド２７が移動方向Ｄ２に往復移動する移動領域４０を含む。
【００３２】
第２の収容室２２における第１の収容室２０の移動方向Ｄ２図面右側には、前述したように、電子基板５１を備えた基板ユニット５０が設置される。また、基板ユニット５０には、放熱板５２が備えられる。
【００３３】
図４（ａ）は、図３の断面Ｂ−Ｂ´の位置において矢印方向から見た図で、第１の収容室２０、第２の収容室２２の配置を模式的に示す断面図である。図３を参照して前述したように、第１の収容室２０は、記録ヘッド２７の移動領域４０を含む。
【００３４】
第１の収容室２０における鉛直方向Ｄ１上側は、筐体３の上部壁部によって区画され、第１の収容室２０における鉛直方向Ｄ１下側は、搬送経路１８に向かって開口する。第１の収容室２０の移動方向Ｄ２図面右側には、開口部６０（矢印で開口部の範囲を示す）が設けられる。
【００３５】
インクカートリッジ収納領域２６は、仕切り板２５、インクカートリッジを支持する支持板２９、筐体３によって囲まれた領域に設けられる。
【００３６】
第２の収容室２２における搬送経路１８側には、開口部６１（矢印で開口部の範囲を示す）が設けられる。開口部６０と開口部６１とは連通する。
【００３７】
図４（ｂ）は、記録ヘッド２７と仕切り板３０と開口部６０を移動方向Ｄ２から見た模式図である。斜線で示した領域Ｂは、記録ヘッド２７と仕切り板３０とが移動方向Ｄ２から見て重なる部分である。網掛けで示した領域Ｃは、記録ヘッド２７と開口部６０とが移動方向Ｄ２から見て重なる部分を示す。このように、開口部６０は、移動方向Ｄ２から見た記録ヘッド２７と一部重なるように設けられる。
【００３８】
そのため、図４（ａ）に示すように、記録ヘッド２７と仕切り板３０とが重なる位置において、記録ヘッド２７の往復移動に伴って、第１の収容室２０内を流れる気流Ａ２が発生する。また、記録ヘッド２７と仕切り板３０とが重ならない位置すなわち記録ヘッド２７と開口部６０とが重なる位置において、記録ヘッド２７の往復移動に伴って、開口部６０、開口部６１を介して、第１の収容室２０と第２の収容室２２との間を流れる気流Ａ１が発生する。
【００３９】
第１の収容室２０と第２の収容室２２との間を流れる気流Ａ１が発生することによって、図３の第２の収容室２２内を流れる気流Ａ３が発生する。
【００４０】
図４（ａ）の基板ユニット５０と仕切り板３０との隙間Ｇ１、放熱板５２と筐体３との隙間Ｇ２が設けられるように、基板ユニット５０を第２の収容室２２に備える。そのため、電子基板５１は、仕切り板３０との隙間Ｇ３が設けられて備えられる。これにより、隙間Ｇ１，Ｇ２を流れる気流や基板ユニット５０内を流れる気流によって、電子基板５１を放熱させることができる。
【００４１】
図５は、図３の断面Ｃ−Ｃ´の位置において矢印方向から見た図で、第１の収容室２０、第２の収容室２２の配置を模式的に示す断面図である。第２の収容室２２における鉛直方向Ｄ１下側は、搬送経路１８に向かって開口し、第２の収容室２２における鉛直方向Ｄ１上側は、筐体３の上部壁部によって区画される。
【００４２】
図３、図４（ａ）を参照して前述したように、第１の収容室２０は、記録ヘッド２７の移動領域４０を含み、第１の収容室２０における鉛直方向Ｄ１下側は、搬送経路１８に向かって開口し、第１の収容室２０における鉛直方向Ｄ１上側は、筐体３の上部壁部によって区画される。
【００４３】
第１の収容室２０における鉛直方向Ｄ１下側が開口しているので、排紙用開口部１２を介して、筐体３の外部と第１の収容室２０との間に気流Ａ４が発生する。また、第２の収容室２２における鉛直方向Ｄ１下側が開口しているので、給紙用開口部２３を介して、筐体３の外部と第２の収容室２２との間に気流Ａ５が発生する。
【００４４】
図６（ａ）は、基板ユニット５０の放熱板５２側から見た斜視図であり、図６（ｂ）は、基板ユニット５０の放熱板５２と反対側から見た斜視図である。図７は、基板ユニット５０の構成部品を示す斜視図である。
【００４５】
基板ユニット５０は、図６（ａ）に示すように、電子基板５１を鉛直方向Ｄ１に立設させ、電子基板５１の面方向が搬送方向Ｄ３になるように、第２の収容室２２に備えられる。
【００４６】
基板ユニット５０は、電子基板５１、電子基板５１に備えられたＩＣ５７（図７参照）などの電子部品から生じる熱を放熱させる金属製の放熱板５２、電子基板５１を覆って電子部品から発生する電磁波を抑制する、金属などの導電性を有するシールド板５３を含んで構成される。
【００４７】
図６（ｂ）のシールド板５３には、凹部５６が形成されたシールド部材５４が備えられる。凹部５６には、記録ヘッド２７が移動方向Ｄ２に往復移動するとき、記録ヘッド２７の一部が挿入する。これにより、プリンター１の移動方向Ｄ２における長さを短くすることができる。
【００４８】
電子基板５１は、シールド板５３、シールド部材５４、放熱板５２によって密閉されることはないので、基板ユニット５０内には、第２の収容室２２内を流れる気流が流入したり、基板ユニット５０外に気流が流出する。
【００４９】
本実施形態では、放熱板５２は、アルミニウムから構成されるので、熱伝導性が高い。また、放熱板５２は、電子基板５１を覆って電子部品から発生する電磁波を抑制するシールド板としての機能も兼ねる。
【００５０】
放熱板５２は、図７の記録ヘッド２７を駆動するＩＣ５７が備えられた電子基板５１の面側に取り付けられる。これにより、ＩＣ５７から発生する熱を効率よく放熱させることができる。
【００５１】
以上、本実施形態で説明した図４（ａ）のプリンター１は、記録媒体としての用紙Ｐが搬送される搬送経路１８と、用紙Ｐの搬送方向Ｄ３と交わる移動方向Ｄ２に往復移動しながら用紙Ｐに文字や画像を形成する記録ヘッド２７と、搬送経路１８側が開口し、記録ヘッド２７が往復移動する移動領域４０を含み、移動方向Ｄ２における一方の側に開口部６０を有し、記録ヘッド２７を収容する第１の収容室２０と、搬送経路１８側が開口し、開口部６０を介して第１の収容室２０と連通し、電子基板５１を収容する第２の収容室２２と、を備える。
【００５２】
そして、電子基板５１は、面方向が搬送方向Ｄ３で搬送経路１８に対して鉛直方向Ｄ１に立設し、第１の収容室２０側の壁部である仕切り板３０との間を離して第２の収容室２２に備えられる。
【００５３】
この構成によれば、記録ヘッド２７の往復移動に伴って、第１の収容室２０を介して搬送経路１８と第２の収容室２２との間を流れる気流Ａ１が生じたり、第１の収容室２０を介さずに搬送経路１８と直接に第２の収容室２２との間を流れる気流Ａ３が生じる。そして、電子基板５１は、面方向が搬送方向Ｄ３で搬送経路１８に対して立設し、第１の収容室２０側の壁部である仕切り板３０との間を離して第２の収容室２２に備えられる。これにより、電子基板５１と第１の収容室２０との間を気流が流れるので、電子基板５１の温度上昇を抑制できる。
【００５４】
従って、筐体３に通気孔を設けなくてもよいので、筐体３における剛性の低下や、外観上の見栄えの低下を抑制できる。また、筐体３内に備えられたモーターなどの音が通気孔から筐体の外部に洩れることを抑制できる。また、インクジェット式の画像形成装置においては、筐体内のインクミストが通気孔から筐体の外部に流出することを抑制できる。
【００５５】
また、図４（ｂ）の開口部６０は、移動方向Ｄ２から見た位置が記録ヘッド２７と一部重なるように設けられる。
【００５６】
この構成によれば、図４（ａ）に示すように、記録ヘッド２７の移動によって、第１の収容室２０内を流れる気流Ａ２と、第２の収容室２２内を流れる気流Ａ１を生じさせることができる。これにより、第１の収容室２０内の温度上昇を抑制するとともに、第２の収容室２２内の温度上昇を抑制することができる。
【００５７】
また、第１の収容室２０と第２の収容室２２とを仕切る壁部である仕切り板２４，３０，２５は、板状部材によって構成される。
【００５８】
この構成によれば、第１の収容室２０と第２の収容室２２とを仕切るための壁部を筐体３と一体に形成しなくてもよいので製造コストの上昇を抑制できる。
【００５９】
また、第１の収容室２０と第２の収容室２２とを仕切る壁部は、繊維状の吸着材を用いてもよい。この構成によれば、第１の収容室２０や第２の収容室２２を浮遊するミストを吸着することができる。
【符号の説明】
【００６０】
１…インクジェットプリンター、３…筐体、１２…排紙用開口部、１８…搬送経路、２０…第１の収容室、２２…第２の収容室、２３…給紙用開口部、２４，２５，３０…仕切り板、２７…記録ヘッド、４０…移動領域、５１…電子基板、６０…開口部、６１…開口部、Ｄ２…移動方向、Ｄ３…搬送方向、Ｐ…用紙。
【図１】
2013010235.tif 000003
【図２】
2013010235.tif 000004
【図３】
2013010235.tif 000005
【図４】
2013010235.tif 000006
【図５】
2013010235.tif 000007
【図６】
2013010235.tif 000008
【図７】
2013010235.tif 000009